(57)【特許請求の範囲】
【請求項１】
詰め替え用液体を収容した詰め替え容器と共に製品を構成する台紙であって、上記台紙に、錐体状の漏斗本体に組み立てうる折り曲げ自在な本体部分と、詰め替え用液体が流入される容器に上記漏斗本体を取り付けるための取付け部に組み立てうる折り曲げ自在な取付け部分とが上記台紙から切り離し自在に形成されていることを特徴とする詰め替え容器用台紙。
【請求項２】
台紙に、本体部分を折り曲げた状態に保持しうる保持部分が切り離し自在に形成され、この保持部分を介して本体部分と取付け部分とが連結されている請求項１記載の詰め替え容器用台紙。
【発明の詳細な説明】
【０００１】
【発明の属する技術分野】
本発明は、詰め替え容器と共に添付，包装，セット販売等される詰め替え容器用台紙に関するものである。
【０００２】
【従来の技術】
一般に、液状洗剤等の液体製品は、ボトルに詰めた状態で販売されるだけでなく、ボトルへの補充用として、図１７に示すような袋４０に詰められて販売されている。この袋４０は、２枚のシートを外周縁部で貼り合わせたものであり、内部に液体の収容空間４１が形成されているとともに、その隅部に、外側へ向かって延びる注出路４２が形成されている。このような袋４０から内部に詰められた液体をボトルに移し替える場合には、まず、上記袋４０の注出路４２を横断するように（図示の鎖線の位置）シートを切り取って排出口を形成する。ついで、袋４０を把持して傾け、上記排出口から収容空間４１内の液体をボトルの首部開口に注ぎ込むことが行われる。
【０００３】
上記のような補充作業においては、袋４０の排出口から直接ボトルの首部開口に液体を注ぎ込むために、液体がボトルの首部開口からはみ出してこぼれることがある。これを防ぐためには漏斗を使用すればよいが、漏斗が準備されていない家庭も多い。そこで、図１８に示すような逆円錐形状の紙製漏斗３１を補充用の袋詰め商品に添付し、この漏斗３１を用いてボトル３０の首部開口３０ａに液体を注ぎ込むことが行われている。
【０００４】
【発明が解決しようとする課題】
しかしながら、上記漏斗３１は逆円錐形状であり、嵩張るため、これを補充用の袋詰め商品に添付すると、製品全体が嵩張る。また、上記漏斗３１が必要であるため、部品点数が増加して在庫管理等の管理面が煩雑になる。しかも、上記漏斗３１をボトル３０の首部３０ｂに安定して取り付けることが困難であり、液体をボトル３０の首部開口３０ａに注ぎ込む際に、常に漏斗３１を手指で把持していなければならない。さらに、袋４０から液体を注ぐ場合には、袋４０がぐにゃぐにゃしているため、袋４０を片手で持ち上げることが困難であり、漏斗３１を片手で把持すると同時に、もう一方の手で袋４０を持ち上げて液体を注ぎ込む操作が極めて行いにくい。
【０００５】
本発明は、このような事情に鑑みなされたもので、嵩張ることがなく、部品点数が少なく、しかも、組み立てた漏斗を安定してボトル等に取り付けることができ、注入操作が簡単な詰め替え容器用台紙の提供をその目的とする。
【０００６】
【課題を解決するための手段】
上記の目的を達成するため、本発明の詰め替え容器用台紙は、詰め替え用液体を収容した詰め替え容器と共に製品を構成する台紙であって、上記台紙に、錐体状の漏斗本体に組み立てうる折り曲げ自在な本体部分と、詰め替え用液体が流入される容器に上記漏斗本体を取り付けるための取付け部に組み立てうる折り曲げ自在な取付け部分とが上記台紙から切り離し自在に形成されているという構成をとる。
【０００７】
すなわち、本発明の詰め替え容器用台紙は、この台紙自体に、折り曲げ自在な本体部分と取付け部分とをこの台紙から切り離し自在に形成し、この台紙から上記両部分を切り離したのち所定の要領で折り曲げることにより、本体部分から錐体状の漏斗本体を組み立てることができるとともに、取付け部分から、詰め替え用液体が流入される容器に上記漏斗本体を取り付けるための取付け部を組み立てることができるようになっている。このものでは、台紙自体に本体部分と取付け部分とが形成されているため、嵩張ることがないうえ、部品点数が少なく、在庫管理等の管理面が煩雑にならない。しかも、本体部分と取付け部分とから組み立てられた漏斗は、漏斗本体を取付け部を介してボトルの首部等に安定して取り付けることができ、液体をボトルの首部開口等に注ぎ込む際に、漏斗本体を手指で把持しなくてもよくなる。また、ぐにゃぐにゃした詰め替え容器から液体を注ぐ場合であっても、詰め替え容器を両手で把持できるため、容易に液体を注ぎ込むことができる。なお、本発明において、「詰め替え容器と共に製品を構成する台紙」とは、詰め替え容器に添付されたり、詰め替え容器の包装に利用されたり、詰め替え容器と共にセット販売等される台紙を意味しており、詰め替え容器と台紙とが一体的に取り付けられていてもよいし、別々に配設されていてもよい。
【０００８】
本発明において、台紙に、本体部分を折り曲げた状態に保持しうる保持部分が切り離し自在に形成され、この保持部分を介して本体部分と取付け部分とが連結されている場合には、本体部分を折り曲げた状態に保持しうる保持部分が、本体部分と取付け部分とを連結する機能をも果たしているため、本体部分と取付け部分とを連結する部材を省略することができる。
【０００９】
【発明の実施の形態】
つぎに、本発明の実施の形態を図面にもとづいて説明する。
【００１０】
図１および図２は本発明の詰め替え容器用台紙１の一実施の形態を用いた販売態様を示している。この販売態様では、上記台紙１がＵ字状に折り曲げられており、この台紙１の前側部分２の前面に品名，キャラクター等（図示せず）が描かれ、中央部分３にボトル１２および詰め替え容器８（合成樹脂製シート材により作製された底部付き袋体で、いわゆるスタンディングパウチと呼ばれるもの）が載置され、後側部分４で背板が形成されている。そして、上記後側部分４に、後述の漏斗９（図１１参照）を構成する漏斗本体１０と取付け部１１に組み立てることができる本体部分５，取付け部分６および保持部分７が上記後側部分４から切り離し自在に一体成形されている（図３参照）。このようなボトル１２および詰め替え容器８は、台紙１とともに、これらを手提げ袋（図示せず）に収容したり、透明フィルム（図示せず）で被覆状に外装したりすることにより、セット販売されている。
【００１１】
より詳しく説明すると、上記台紙１は、表面に撥水コーティングが施された三つ折り自在な厚紙で構成されており、図３に示すように、２本の平行な一対の折り曲げ線１３ａ，１３ｂにより、裏面（上方に折り曲げた状態で、前面となる）に品名，キャラクター等が描かれた前側部分２と、上面にボトル１２および詰め替え容器８が載置される中央部分３と、背板となる後側部分４とに区分されている。
【００１２】
上記後側部分４には、折り曲げることにより漏斗本体１０を組み立てることができる本体部分５，保持部分７と、折り曲げることにより取付け部１１を組み立てることができる取付け部分６とが上記後側部分４から切り離し自在に一体成形されている。そして、上記取付け部分６から組み立てられた取付け部１１をボトル１２の首部１２ｂに、上記本体部分５，保持部分７から組み立てられた漏斗本体１０の排液口９ａをボトル１２の首部開口１２ａ内に位置決めした状態で、外嵌状に取り付けることができるようになっている（図１２参照）。これら各部分５，６，７は、その周囲の部分に対し、外側切り目１４とこの外側切り目１４に所定間隔をあけて設けられた点付け接合部（図示せず）とにより、切り離し自在になっている。
【００１３】
上記本体部分５は、円盤状体に形成されており、図４に示すように、その中央に切り離し部分として、上記円盤状体と同心状に形成された円形部５ａと、この円形部５ａの略１／４円弧状部分から略扇形状に突出する扇形部５ｂとが設けられている。そして、これら両部５ａ，５ｂが、その周囲の部分に対し、内側切り目１５とこの内側切り目１５に所定間隔をあけて設けられた点付け接合部（図示せず）とにより、切り離し自在になっている。一方、円形部５ａの外周部のうち上記扇形部５ｂを除いた部分に、上記円形部５ａと同心状に形成された略３／４円弧状の垂下用折り曲げ線１６が形成されている。また、この垂下用折り曲げ線１６と上記円形部５ａとの間に等間隔をあけて、上記円形部５ａの中心から放射状に延びる８本の放射状切り目１７が形成されており、これら各放射状切り目１７により、垂下用折り曲げ線１６と円形部５ａとの間に９枚の垂下片１０ａが形成されている。これにより、漏斗９を組み立てるときに、上記切り離し部分（上記両部５ａ，５ｂ）を本体部分５から切り離し、垂下用折り曲げ線１６を下方に折り曲げて９枚の垂下片１０ａを垂下させると、漏斗本体１０の排液口９ａを設けることができるようになっている。
【００１４】
上記切り離し部分５ａ，５ｂの輪郭は、略３／４円弧状部分（上記円形部５ａの外周部）と、この略３／４円弧状部分の両端から（上記円形部５ａの中心を中心点として放射状に）垂下用折り曲げ線１６まで延びる一対の放射線部分と、両放射線部分の端部から垂下用折り曲げ線１６の略接線方向に延びて交差する直角二等辺部分とからなる。そして、上記切り離し部分５ａ，５ｂの輪郭を構成する一方の放射線部分から半径方向に第１折り返し線１８が延びており、かつ、直角二等辺部分の交差点から半径方向に第２折り返し線１９が延びている。これら両折り返し線１８，１９間の角度は、上記円形部５ａの中心において、略４５度である。このような第１折り返し線１８が上側になるように両折り返し線１８，１９を折り返すと（図５および図６参照。図６において、２５は折り返し部分である）、本体部分５が略逆円錐形状になる。
【００１５】
また、上記本体部分５の外周部の略１３／１４円弧状部分が上記外側切り目１４の一部を構成し、上記外周部の略１／１４円弧状部分に連結用折り曲げ線２０が形成されている。この連結用折り曲げ線２０は上記第１折り返し線１８の近傍で、上記第２折り返し線１９の反対側に位置している。そして、上記連結用折り曲げ線２０の一端部２０ａ（上記第１折り返し線１８に対し、遠い方の端部）と上記円形部５ａの中心とを結ぶ仮想線と、上記第１両折り返し線１８の間の角度は、上記円形部５ａの中心において、略４５度である。これにより、第１折り返し線１８が上側になるように両折り返し線１８，１９を折り返したときに、連結用折り曲げ線２０の一端部２０ａが第２折り返し線１９の外端部１９ａと略重なるようになっている。
【００１６】
上記保持部分７は、上記連結用折り曲げ線２０を介して本体部分５に一体的に突出形成された略五角形状板体の押え部７ａと、この押え部７ａの一側部（上記第１折り返し線１８の反対側の側部）に内側折り返し線２１を介して一体的に突出形成された四角形状板体の挿入部７ｂとで構成されている。上記内側折り返し線２１は、第１折り返し線１８が上側になるように両折り返し線１８，１９を折り返したときに、第２折り返し線１９に沿って延びるように、形成されている。また、上記挿入部７ｂのうち、取付け部分６に対向する一辺は、上記外側切り目１４の一部を構成しており、取付け部分６と切り離し自在になっている。これにより、漏斗９を組み立てるときに、上記挿入部７ｂを内側に折り曲げて本体部分５と折り返し部分２５との間に挿入すると、上記折り返し部分２５を押え部７ａと挿入部７ｂとで挟持状に固定できるようになっている。そして、この固定により、上記本体部分５の略逆円錐形状を保持できるようになっている。
【００１７】
また、上記取付け部分６は、上記保持部分７の押え部７ａの一辺（上記連結用折り曲げ線２０に対向する辺）に連結用折り曲げ線２２を介して一体的に連結する帯状体からなっており、その一端部の上半部分および他端部の下半部分にそれぞれ縦向き切り目２３ａ，２３ｂが形成されている。このような取付け部分６を円環状に折り曲げ、両縦向き切り目２３ａ，２３ｂを係合させると、円環状の取付け部１１を作製することができるようになっている。
【００１８】
このような台紙１を用い、つぎのようにして漏斗９を作製することができる。すなわち、まず、台紙１から本体部分５，取付け部分６，保持部分７を切り離す。ついで、本体部分５から切り離し部分５ａ，５ｂを切り離す（図４参照）。つぎに、図５に示すように、第１折り返し線１８が上側になるように、両折り返し線１８，１９を折り返し、図６に示すように、この折り返し部分２５を本体部分５の裏面に沿わせる。この状態では、図７および図８（これら図６〜図８では、取付け部分６および保持部分７が水平になっている）に示すように、本体部分５は略逆円錐形状になっている。つぎに、図９に示すように、垂下用折り曲げ線１６を下方に折り曲げて９枚の垂下片１０ａを垂下させる。これにより、下端開口が排液口９ａとなる略逆円錐形状の漏斗本体１０を得ることができる。つぎに、保持部分７を下方に折り曲げて（図９の矢印参照）、上記折り返し部分２５に沿わせたのち、挿入部７ｂを内側に折り返し、本体部分５と折り返し部分２５の間に挿入する（図１０参照）。これにより、上記折り返し部分２５を押え部７ａと挿入部７ｂの間に挟んで固定し、漏斗本体１０の略逆円錐形状を保持できるようになる。つぎに、取付け部分６を円環状に折り曲げ、両縦向き切り目２３ａ，２３ｂを係合させると、略円環状の取付け部１１を得ることができる（図１１参照）。このようにして作製した漏斗９を、図１２に示すように、ボトル１２の首部１２ｂに外嵌状に取り付けて、漏斗９の排液口９ａをボトル１２の首部開口１２ａ内に位置決めし、その状態で、詰め替え容器８の内溶液を漏斗９に注ぎ、ボトル１２の首部開口１２ａから内部に注ぎ入れることを行う。
【００１９】
上記実施の形態では、台紙１に一体成形した本体部分５，取付け部分６および保持部分７を、台紙１から切り離して折り曲げることにより、漏斗９を形成することができるため、漏斗９を備えているにもかかわらず、嵩張ることがなく、また、部品点数が増えることがなく、在庫管理等の管理面が煩雑化しない。このため、この台紙１を詰め替え容器８に添付した場合にも、製品全体が嵩張らず、使用済みの漏斗を廃棄等する際にも廃棄物が嵩張らなくてすむ。しかも、上記実施の形態によれば、厚紙の使用量が大幅に減少する。さらに、上記本体部分５，取付け部分６，保持部分７から組み立てられた漏斗９は、漏斗本体１０を取付け部１１を介してボトル１２の首部１２ｂ等に安定して取り付けることができ、内容液をボトル１２の首部開口１２ａに注ぎ込む際に、漏斗本体１０を手指で把持しなくてもよくなる。また、詰め替え容器８がぐにゃぐにゃした液体入り袋であっても、袋を両手で把持できるため、容易に液体を注ぎ込むことができる。
【００２０】
図１３は本発明の他の実施の形態の後側部分４を示している。この実施の形態では、取付け部分６の幅を長くすることにより、漏斗９を作製した場合の取付け部１１の高さを高くし、取付け部１１をボトル１２の肩部１２ｃに載置状に取り付けることができるようにしている（図１４参照）。また、両縦向き切り目２３ａ，２３ｂ間の距離を長くすることにより、上記取付け部１１がボトル１２の首部１２ｂに遊嵌されるようにしている。それ以外の部分は上記実施の形態と同様であり、同様の部分には同じ符号を付している。この実施の形態でも、上記実施の形態と同様の作用・効果を奏する。しかも、このものでは、ボトル１２の首部１２ｂの外径に両縦向き切り目２３ａ，２３ｂ間の距離を合わせる必要がなく、使用できるボトル１２の種類が多くなる。
【００２１】
図１５は本発明のさらに他の実施の形態の後側部分４を示している。この実施の形態では、保持部分７に取付け部分６を連結するのではなく、本体部分５の外周部の相対峙する部分から垂下用折り曲げ線２６を介して帯状の取付け部分６を一体的に突出形成している。そして、これら両取付け部分６を折り曲げて垂下させることにより、両取付け部分６を両脚（取付け部１１）としてボトル１２の肩部１２ｃに載置状に取り付けることができるようにしている（図１６参照）。それ以外の部分は図３に示す実施の形態と同様であり、同様の部分には同じ符号を付している。この実施の形態でも、図３に示す実施の形態と同様の作用・効果を奏する。しかも、このものでは、取付け部分６と保持部分７とが繋がっていないため、両部分６，７の設計の自由度が高くなる。
【００２２】
なお、上記実施の形態では、本体部分５，取付け部分６および保持部分７を一連に形成しているが、これに限定するものではなく、それぞれを別体に（繋げないで）形成してもよい。この場合には、本体部分５，保持部分７を折り曲げて漏斗本体１０を組み立てるとともに、取付け部分６を折り曲げて取付け部１１を組み立てたのちに、漏斗本体１０の折り返し部分２５に保持部分７を糊付けしたり、ステープラーで固定したりする必要がある。また、本体部分５や保持部分７に取付け部分６を糊付けしたり、ステープラーで固定したりする必要がある。
【００２３】
また、上記各実施の形態では、台紙１の構成材料として厚紙を用いたが、これに限定するものではなく、樹脂シート，繊維シート等各種の材料を用いることができる。また、上記各実施の形態では、漏斗９は、液体を注ぎ入れるために用いたが、これに限定するものではなく、粉粒体等を充填するために使用してもよい。
【００２４】
【発明の効果】
以上のように、本発明の詰め替え容器用台紙によれば、台紙自体に、漏斗本体を組み立てうる本体部分と、取付け部を組み立てうる取付け部分とが形成されているため、嵩張ることがないうえ、部品点数が少なく、在庫管理等の管理面が煩雑にならない。しかも、本体部分と取付け部分とから組み立てられた漏斗は、漏斗本体を取付け部を介してボトルの首部等に安定して取り付けることができ、液体をボトルの首部開口等に注ぎ込む際に、漏斗本体を手指で把持しなくてもよくなる。また、ぐにゃぐにゃした詰め替え容器から液体を注ぐ場合であっても、詰め替え容器を両手で把持できるため、容易に液体を注ぎ込むことができる。
【００２５】
本発明において、台紙に、本体部分を折り曲げた状態に保持しうる保持部分が切り離し自在に形成され、この保持部分を介して本体部分と取付け部分とが連結されている場合には、本体部分を折り曲げた状態に保持しうる保持部分が、本体部分と取付け部分とを連結する機能をも果たしているため、本体部分と取付け部分とを連結する部材を省略することができる。
【図面の簡単な説明】
【図１】本発明の一実施の形態を用いた販売態様を示す正面図である。
【図２】上記販売態様の側面図である。
【図３】台紙の平面図である。
【図４】本体部分と取付け部分と保持部分を示す平面図である。
【図５】漏斗の作製方法を示す説明図である。
【図６】上記漏斗の作製方法を示す説明図である。
【図７】上記漏斗の作製方法を示す説明図である。
【図８】上記漏斗の作製方法を示す説明図である。
【図９】上記漏斗の作製方法を示す説明図である。
【図１０】上記漏斗の作製方法を示す説明図である。
【図１１】上記漏斗の作製方法を示す説明図である。
【図１２】上記漏斗をボトルに取り付けた状態を示す断面図である。
【図１３】本発明の他の実施の形態の後側部分を示す平面図である。
【図１４】上記他の実施の形態を用いた使用状態を示す断面図である。
【図１５】本発明のさらに他の実施の形態の後側部分を示す平面図である。
【図１６】上記さらに他の実施の形態を用いた使用状態を示す断面図である。
【図１７】液体入り袋を示す正面図である。
【図１８】従来例の漏斗を示す斜視図である。
【符号の説明】
１  台紙
５  本体部分
６  取付け部分
【図１】
0003929162.tif 000002
【図２】
0003929162.tif 000003
【図３】
0003929162.tif 000004
【図４】
0003929162.tif 000005
【図５】
0003929162.tif 000006
【図６】
0003929162.tif 000007
【図７】
0003929162.tif 000008
【図８】
0003929162.tif 000009
【図９】
0003929162.tif 000010
【図１０】
0003929162.tif 000011
【図１１】
0003929162.tif 000012
【図１２】
0003929162.tif 000013
【図１３】
0003929162.tif 000014
【図１４】
0003929162.tif 000015
【図１５】
0003929162.tif 000016
【図１６】
0003929162.tif 000017
【図１７】
0003929162.tif 000018
【図１８】
0003929162.tif 000019